(57)【特許請求の範囲】
【請求項１】
相互にＬ形に曲折された取付板と支持板とを有する基枠体の該取付板の一部に、シリンダ錠取付部が形成され、シリンダ錠がその錠軸を該基枠体内に挿入するように該シリンダ錠取付部に取り付けられ、該シリンダ錠の錠軸に取り付けられたカム部材の回動に応じて解錠動作する鉤部材が該基枠体に設けられたゲーム機の施錠装置において、
該シリンダ錠取付部の側部の該支持板の外側面に、該外側面を覆う側面カバー部材が取り付けられると共に、該シリンダ錠取付部の内側の少なくとも該カム部材を覆う内側カバー部材が、該側面カバー部材に対しヒンジを介して且つ該シリンダ錠取付部の内側を開閉可能に取り付けられたことを特徴とするゲーム機の施錠装置。
【請求項２】
前記側面カバー部材または内側カバー部材に、前記シリンダ錠取付部の支持板の背面側を覆う背面カバー部が設けられ、該背面カバー部の一部に前記ヒンジが軸を水平横方向に配置して取り付けられ、該内側カバー部材は、該ヒンジの軸を支点にして該シリンダ錠取付部から背面側に向けて開くように装着されたことを特徴とする請求項１記載のゲーム機の施錠装置。
【請求項３】
前記側面カバー部材または内側カバー部材に、前記シリンダ錠取付部の支持板の背面側を覆う背面カバー部が設けられ、該背面カバー部の上部と下部に各々ヒンジがその軸を該基枠体の支持板の長手方向と平行に且つ同一軸線上に配置して配設され、該内側カバー部材は、該ヒンジの軸を支点に該シリンダ錠取付部から背面側に向けて開くように装着されたことを特徴とする請求項１記載のゲーム機の施錠装置。
【請求項４】
相互にＬ形に曲折された取付板と支持板とを有する基枠体の該取付板の一部に、シリンダ錠取付部が形成され、シリンダ錠がその錠軸を該基枠体内に挿入するように該シリンダ錠取付部に取り付けられ、該シリンダ錠の錠軸に取り付けられたカム部材の回動に応じて解錠動作する鉤部材が該基枠体に設けられたゲーム機の施錠装置において、
該シリンダ錠取付部の側部の該支持板の外側面に、該外側面を覆う側面カバー部材が取り付けられると共に、該シリンダ錠取付部の内側の少なくとも該カム部材を覆う内側カバー部材が、該側面カバー部材の縁部に連結され、該側面カバー部材または該内側カバー部材の一部に樹脂ヒンジ部が設けられ、該樹脂ヒンジ部を介して該内側カバー部材が該シリンダ錠取付部の内側を開閉することを特徴とするゲーム機の施錠装置。
【発明の詳細な説明】
【技術分野】
【０００１】
本発明は、スロットマシン、パチンコ機等のゲーム機の前面枠（前扉）を、本体枠（筐体）に対し施錠するゲーム機の施錠装置に関し、特に施錠動作に関わる主要部分をカバーして不正解錠を防止することができるゲーム機の施錠装置に関する。
【背景技術】
【０００２】
従来、この種のゲーム機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム部材が取り付けられた構成の施錠装置が、知られている。
【０００３】
この施錠装置の基枠体は、取付板と支持板を略Ｌ字状に形成した長尺のＬ形アングル材状に形成され、その基枠体の取付板が前面枠（前扉）の自由端（右端）に縦に固定されるが、基枠体の支持板は正面から見て左側に位置するため、基枠体の右側面は開放された形状となっている。したがって、開放状態の前面枠（前扉）の自由端（右端）側から施錠装置を見た場合、基枠体の内側に配設したシリンダ錠の錠軸、錠軸に固定されたカム部材、及びカム部材の回動時に係合する連結杆の係合部などが、容易に見える状態となっている。
【特許文献１】特開２００２−１７７５８６号公報
【特許文献２】特開２００７−２０９２２号公報
【発明の開示】
【発明が解決しようとする課題】
【０００４】
このような施錠装置を自由端側に取り付けた前面枠を、ゲーム機の本体枠に対し閉じると、施錠装置の上部と下部の鉤部材が、本体枠の内側に固定された受け金具に係止され、前面枠は施錠状態となる。しかし、閉鎖され施錠状態となったゲーム機の前面枠は、堅強に閉じられているものの、前面枠の自由端と本体枠との間に、僅かな隙間が生じる場合がある。そのようなときに、自由端側の隙間にバールなどを差し込み、隙間を広げ、そこから針金や薄板などの不正器具を差し込み、不正器具の先端を施錠装置の基枠体の内側に配置されるカム部材やそれが係合する連結杆の係合部などを引っ掛け、不正解錠が行なわれる可能性があった。
【０００５】
そこで、従来、上記特許文献１において、基枠体の全体に角筒形のケースを被せ、ケースに設けたスリット孔から、施錠用の鉤部材、作動杆、シリンダ錠などを突出させた構造の施錠装置が提案されている。
【０００６】
しかし、このような基枠体全体に角筒形のケースを被せる施錠装置は、必然的にその外形が大型化し、パチンコ機の前面枠内側の非常に狭いスペースに、このようなケース付きの施錠装置を取り付けることが困難となる課題があった。また、パチンコ機の施錠装置では、鉤部材やシリンダ錠の位置が異なる数多くの機種が製造されているため、各機種毎に角筒形ケースを製作し、各ケースに異なる大きさのスリットを異なる位置に形成する必要があり、製造コストが増大する課題があった。
【０００７】
そこで、本願発明者らは、上記特許文献２において、外形を大形化することなく、施錠動作に関わる主要部分をカバーして不正解錠を防止することができるゲーム機の施錠装置を提案した。この施錠装置は、基枠体の内側に配設されたカム部材及びカム部材の回動時にカム部材が係合する部材を覆うためのカバー部材を、基枠体の内側に着脱可能に取り付けて構成され、カバー部材には、取付板に形成された係止孔に嵌入されて係止される係止爪が突設され、支持板の一部に形成された係止孔に嵌入される係止部を設けている。
【０００８】
このカバー部材は、カム部材及びカム部材の回動時にカム部材が係合する部材をカバーして不正解錠を防止することができるものの、基枠体の支持板の外面を覆うカバー部がないため、支持板の外側面にロック部材やスイッチ作動杆の一部が露出して、不正解錠の防止機能が不完全となる課題があった。また、カバー部材は、係止孔と係止爪との係合により係止される構造としているため、保守点検時や部品交換時に、カバー部材を外す場合、カバー部材が外しにくいという課題があった。
【０００９】
本発明は、上記の点に鑑みてなされたもので、解錠機構の主要部のより広い範囲を覆って不正解錠を防止することができ、カバーを開閉式として保守点検や部品交換を簡便に行なうことができるゲーム機の施錠装置を提供することを目的とする。
【課題を解決するための手段】
【００１０】
上記目的を達成するために、本発明のゲーム機の施錠装置は、相互にＬ形に曲折された取付板と支持板とを有する基枠体の該取付板の一部に、シリンダ錠取付部が形成され、シリンダ錠がその錠軸を該基枠体内に挿入するように該シリンダ錠取付部に取り付けられ、該シリンダ錠の錠軸に取り付けられたカム部材の回動に応じて解錠動作する鉤部材が該基枠体に設けられたゲーム機の施錠装置において、該シリンダ錠取付部の側部の該支持板の外側面に、該外側面を覆う側面カバー部材が取り付けられると共に、該シリンダ錠取付部の内側の少なくとも該カム部材を覆う内側カバー部材が、該側面カバー部材に対しヒンジを介して且つ該シリンダ錠取付部の内側を開閉可能に取り付けられたことを特徴とする。
【００１１】
ここで、上記の施錠装置においては、上記側面カバー部材または内側カバー部材に、上記シリンダ錠取付部の支持板の背面側を覆う背面カバー部が設けられ、該背面カバー部の一部に前記ヒンジが軸を水平横方向に配置して取り付けられ、該内側カバー部材は、該ヒンジの軸を支点にして該シリンダ錠取付部から背面側に向けて開くように装着することができる。
【００１２】
また、上記の施錠装置においては、上記側面カバー部材または内側カバー部材に、上記シリンダ錠取付部の支持板の背面側を覆う背面カバー部が設けられ、該背面カバー部の上部と下部に各々ヒンジがその軸を該基枠体の支持板の長手方向と平行に且つ同一軸線上に配置して配設され、該内側カバー部材は、該ヒンジの軸を支点に該シリンダ錠取付部から背面側に向けて開くように装着することができる。
【００１３】
また、別の発明の施錠装置では、相互にＬ形に曲折された取付板と支持板とを有する基枠体の該取付板の一部に、シリンダ錠取付部が形成され、シリンダ錠がその錠軸を該基枠体内に挿入するように該シリンダ錠取付部に取り付けられ、該シリンダ錠の錠軸に取り付けられたカム部材の回動に応じて解錠動作する鉤部材が該基枠体に設けられたゲーム機の施錠装置において、該シリンダ錠取付部の側部の該支持板の外側面に、該外側面を覆う側面カバー部材が取り付けられると共に、該シリンダ錠取付部の内側の少なくとも該カム部材を覆う内側カバー部材が、該側面カバー部材の縁部に連結され、該側面カバー部材または該内側カバー部材の一部に樹脂ヒンジ部が設けられ、該樹脂ヒンジ部を介して該内側カバー部材が該シリンダ錠取付部の内側を開閉することを特徴とする。
【発明の効果】
【００１４】
上記構成の施錠装置では、基枠体のシリンダ錠取付部の支持板の外面が、側面カバー部材により覆われるため、シリンダ錠取付部の支持板の外面にカム部材の係合凸部の回動を許容するために開口部などが形成され、この開口部からロック部材などが露出する形態であっても、その開口部などがカバーされる。このため、針金などの不正器具を差し込まれた場合でも、カバー部材によって、カム部材やそれと係合する部材やロック部材などへの不正器具の接触は阻止され、不正器具による不正解錠を防止することができる。
【００１５】
また、内側カバー部材は、側面カバー部材に対しヒンジまたはヒンジ部を介して開閉可能に取り付けられるから、施錠装置のシリンダ錠取付部の近傍に容易に装着することができ、保守点検時やシリンダ錠などの部品交換時には、簡単に内側カバー部材を開いて作業を行なうことができる。さらに、内側カバー部材を外すことなく、開放した状態で部品交換作業などを行なうため、内側カバー部材が点検や部品交換作業中に紛失する虞はなく、作業後には、その内側カバー部材を簡単に閉じて元の状態に戻ることができる。
【発明を実施するための最良の形態】
【００１６】
以下、本発明の実施の形態を図面に基づいて説明する。図１〜図３はゲーム機用施錠装置の左右側面図、及び背面図を示し、図９は基枠体１内の内側カバー部材７を開いた状態の斜視図を示している。
【００１７】
この施錠装置は、概略的には、縦長の基枠体１の上部寄りと下部よりの２箇所に、背面側に向けて鉤部材５，６を傾動可能に枢支し、基枠体１の取付板２の略中央下部寄りに形成されたシリンダ錠取付部２ａに、シリンダ錠１４を取り付け、シリンダ錠１４の解錠操作により、鉤部材５，６を係止解除側に傾動させ、解錠するように構成される。さらに、内側カバー部材７がシリンダ錠１４の錠軸に固定されたカム部材１３近傍を覆って開閉可能に取り付けられ、側面カバー部材８がシリンダ錠取付部２ａの近傍の分割支持板３ａの外側面を覆って取り付けられる。
【００１８】
基枠体１は、帯状の金属板をプレス加工して断面略コ字状の略チャンネル材形状に形成され、その底壁を取付板２とし、一方の側壁（正面に向かって左側の側壁）を支持板３として、取付板２と支持板３を相互にＬ形に、つまり略直角に曲折して形成されている。取付板２には施錠装置を固定するための複数の固定孔などが穿設され、さらに、取付板２の略中央下寄り部分は、図１０、図１１に示すように、シリンダ錠取付部２ａが左側に膨出するように幅広に形成され、その取付板２のシリンダ錠取付部２ａに、シリンダ錠１４用の大径の円形孔が穿設される。
【００１９】
さらに、取付板２のシリンダ錠取付部２ａの円形孔の上下に、シリンダ錠１４のフランジを固定するための固定孔が穿設され、上側の固定孔には後述の内側カバー部材７の固定ねじ７ｃがねじ込まれ、共締めされる。また、シリンダ錠取付部２ａの左側面を形成する支持板３の部分は、分割支持板３ａとして分割形成され、分割支持板３ａには、図２、図１０、図１１に示すように、凹部３ｅが受け金具３３のロック部３６を導入するために形成されている。
【００２０】
さらに、図１に示すように、支持板３における上部寄りの部分には背面側に突出する突出部３ｃが形成され、その支持板３の突出部３ｃに枢軸５ａを介して鉤部材５が下側に傾動可能に枢支される。同様に、支持板３における下部寄りの部分には背面側に突出する突出部３ｄが形成され、その支持板３の突出部３ｄに枢軸６ａを介して鉤部材６が下側に傾動可能に枢支されている。両鉤部材５，６は、その先端部が傾斜面を有したフック状に形成され、下側に傾動しながら受け金具３３の係止部３４，３５に係止可能となっている。
【００２１】
基枠体１の内側に、帯状の連結杆４が支持板３に沿って摺動可能に配設され、連結杆４の上端部はピン４ｂを介して鉤部材５の下端部に連結され、連結杆４の下端部はピン４ｃを介して鉤部材６の下端部に連結されている。図４に示すように、連結杆４とスイッチ作動杆１５間にコイルばね１７がかけられ、連結杆４はコイルばね１７により下方に付勢され、上下の鉤部材５，６を施錠側に付勢している。上下の鉤部材５，６はコイルばね１７による下方への付勢力を受け、水平姿勢に保持される。そして、シリンダ錠１４による解錠操作に伴い、連結杆４がコイルばね１７の付勢力に抗して上方に摺動すると、鉤部材５、６は下側の解錠位置に傾動する。
【００２２】
さらに、支持板３の背面側に突出した突出部３ｄには、図４のように、支持ローラ１６が回転自在に軸支され、前面枠３１の閉鎖時に、受け金具側の滑り板上に支持ローラ１６が乗り上げ、前面枠３１の荷重を支持するように作用する。
【００２３】
シリンダ錠１４は、長尺の外筒を有して形成され、その基部にフランジ１４ｂが取り付けられ、フランジ１４ｂに上記のように固定孔が穿設されている。このシリンダ錠１４は、シリンダ錠取付部２ａに設けた円形孔からその外筒を正面側に突き出す形態で、つまりフランジ１４ｂと錠軸１４ａを基枠体１内に配置するように装着され、フランジ１４ｂをシリンダ錠取付部２ａの内側にねじ止めし、取付板２上に固定される。
【００２４】
シリンダ錠１４の錠軸１４ａの先端にカム部材１３が固定される。図９に示すように、カム部材１３には係合凸部１３ａと１３ｂが設けられ、連結杆４の対応箇所には、係合凸部１３ａと係合可能な係合部４ａが設けられ、スイッチ作動杆１５にも係合凸部１３ｂと係合可能な係合部が設けられる。カム部材１３の係合凸部１３ａはシリンダ錠１４のキーを右に回した時、連結杆４と係合して連結杆４を上方に移動させ、カム部材１３の係合凸部１３ｂはキーを左に回した時、スイッチ作動杆１５と係合してこれを下方に摺動させる。
【００２５】
図３に示すように、取付板２の上部と中間部と下部寄りに、山形のガイド支持部２ｂが連結杆４をガイドするように、取付板２の一部を内側に切り起して形成されている。連結杆４はそのガイド支持部２ｂと支持板３間に配設され、ガイド支持部２ｂと支持板３により上下摺動可能にガイドされる。また、図４のように、シリンダ錠取付部２ａ近傍の連結杆４の一部に長孔４ｄが穿設され、その長孔４ｄにガイドピン１０が挿通されて分割支持板３ａに固定され、連結杆４はガイドピン１０により長手方向に摺動可能にガイドされる。また、連結杆４の中間部には、カム部材１３の係合凸部１３ａに係合可能な係合部４ａが形成されている。
【００２６】
さらに、シリンダ錠取付部２ａ近傍の連結杆４の内側つまり支持板３側には、図４に示すように、ロック部材１２が施錠時、連結杆４の解錠側への移動をロックするように取り付けられている。ロック部材１２は、図４のように、分割支持板３ａの凹部３ｅに対応した位置に、同様な形状の係止凹部１２ａを形成し、かつカム部材１３の係合凸部１３ａが回動時に接触する位置に、傾斜部１２ｂを形成して構成され、枢軸１２ｃを介して連結杆４の内側に揺動可能に軸支されている。
【００２７】
また、図４のように、ロック部材１２の下端部にばね掛け部が設けられ、そのばね掛け部と連結杆４との間にコイルばね１８が掛けられ、ロック部材１２はロック側に付勢されている。このロック部材１２は、前面枠３１の閉鎖時に、本体枠３０側の受け金具３３のロック部３６が、分割支持板３ａの凹部３ｅに嵌合したとき、その係止凹部１２ａに嵌合し、連結杆４の移動をロックするように作用する。
【００２８】
一方、シリンダ錠１４を操作してカム部材１３が回動されたときには、カム部材１３の係合凸部１３ａが傾斜部１２ｂに接触し、ロック部材１２を、その枢軸１２ｃを支点にその係止凹部１２ａを取付板２側に下げるように揺動させる。これにより、ロック部材１２の係止凹部１２ａと受け金具側のロック部３６との係合が解除され、連結杆４のロックが外れ、連結杆４が移動可能となり、シリンダ錠１４により解錠操作が可能となる。
【００２９】
さらに、シリンダ錠取付部２ａ近傍の分割支持板３ａと連結杆４（ロック部材１２）との間に、スイッチ作動杆１５が摺動可能に配設される。このスイッチ作動杆１５の下端には作動片１５ａが下方に向けて突設され、図１１に示すように、スイッチ作動杆１５の下方への摺動時、分割支持板３ａから作動片１５ａが下方に突出する。作動スイッチ（光電スイッチ等）２０は、取付板２から延設された取付部に固定され、作動片１５ａは、スイッチ作動杆１５の下側への移動時、この作動スイッチ２０をオンオフ動作させる。また、このスイッチ作動杆１５には、カム部材１３の係合凸部１３ｂが係合する係合部が設けられている。
【００３０】
したがって、シリンダ錠１４によりカム部材１３を図９の時計方向に回したとき、図１５のように、その係合凸部１３ｂがスイッチ作動杆１５に係合して下側に摺動させ、その作動片１５ａを介して作動スイッチ２０をオンオフ動作させるように構成される。図４に示すように、連結杆４とスイッチ作動杆１５の間にコイルばね１７が掛けられ、このコイルばね１７のばね力によって、スイッチ作動杆１５は上側に付勢され、連結杆４は下方に付勢されている。
【００３１】
側面カバー部材８は、図６、図８に示すように、基枠体１の取付板２の正面に当接する正面当接部８ｄと支持板２の側面に当接する側面当接部８ｅを直角に曲折した形状に、合成樹脂材料または金属板により形成され、シリンダ錠取付部２ａ近傍の分割支持板３ａの外側面を主に覆う形態に形成される。側面カバー部材８の上部に、係止部８ｃが内側に曲折して設けられ、分割支持板３ａの外側面に取り付ける際、分割支持板３ａの縁部にその係止部８ｃが係止される。この側面カバー部材８は、固定ねじまたはリベットにより基枠体１の外側の定位置に固定される。
【００３２】
また、側面カバー部材８には、背面カバー部８ａがロック部材１２、連結杆４の背面を覆うように設けられる。背面カバー部８ａは、側面当接部８ｅの縁部を直角に内側に曲折して形成され、ロック部材１２、連結杆４を背面側からカバーする。また、側面カバー部材８は、基枠体１の取付板２から分割支持板３ａの外側面をカバーして取り付けられるが、この状態で、分割支持板３ａに形成された開口部などは側面カバー部材８でカバーされ、分割支持板３ａの開口部から、カム部材１３が係合するロック部材１２や連結杆４の係合部分が露出することはない。
【００３３】
さらに、側面カバー部材８の下部の背面カバー部に、ヒンジ９の枢支部８ｂが設けられ、その部分にヒンジ９の軸９ａが基枠体１の取付板２の横断方向つまり水平方向と平行に支持されている。このヒンジ９の枢支部８ｂには、内側カバー部材７の軸支部７ａが軸支され、内側カバー部材７は、この水平なヒンジ９の軸９ａを支点に回動可能である。これにより、図９の如く、背面側から下方に回動されてシリンダ錠取付部２ａの内側が開放され、下方から上方に回動されて、シリンダ錠取付部２ａの内側を覆う閉鎖状態となる。
【００３４】
内側カバー部材７は、図５に示すように、取付板２のシリンダ錠取付部２ａの内側を覆う囲繞部７ｄを設けて、合成樹脂材料または金属板により形成され、囲繞部７ｄはカム部材１３、連結杆４、ロック部材１２などの施錠機構の要部をカバーする形状に形成される。囲繞部７ｄの縁部にシリンダ錠取付部２ａに当接する当接部７ｅが設けられ、囲繞部７ｄの支持板側縁部が背面側に延設された部分に背面当接部７ｆが設けられる。
【００３５】
さらに、内側カバー部材７の上部には、固定孔付の固定座部７ｂが設けられ、内側カバー部材７が、取付板２のシリンダ錠取付部２ａの内側を覆って閉鎖されたとき、固定座部７ｂがシリンダ錠１４のフランジ１４ｂの上部に当接し、その固定座部７ｂの固定孔に固定ねじ７ｃをねじ込んで固定する。
【００３６】
上記ように、内側カバー部材７は、ヒンジ９を介して側面カバー部材８に回動開閉可能に取り付けられる。内側カバー部材７はヒンジ９の枢支部８ｂに対し軸支部７ａを介して回動可能に支持され、図９の如く、固定ねじ７ｃを外して背面から下方に回動可能である。
【００３７】
一方、内側カバー部材７を開放状態から閉じる場合、ヒンジ９の軸支部７ａを介して内側カバー部材７を上方に向けて閉じるように回動させると、内側カバー部材７の当接部７ｅはシリンダ錠取付部２ａの内面に当接し、背面当接部７ｆは側面カバー部材８の背面カバー部８ａ上に当接し、さらに、固定座部７ｂがシリンダ錠１４のフランジ１４ｂに当接する。この状態で、図７のように、固定ねじ７ｃを固定座部７ｂとフランジ１４ｂの取付孔にねじ込んで固定するが、このとき、当接部７ｅ、背面当接部７ｆ、及び固定座部７ｂが安定して基枠体１側に当接した状態となるため、１本の固定ねじ７ｃでも、ガタツクことなく、確実に固定することができる。
【００３８】
このように、内側カバー部材７は、その固定座部７ｂをシリンダ錠１４のフランジ１４ｂに当接させ、そして、内側カバー部材７が閉じられた状態では、基枠体１内のシリンダ錠取付部２ａのカム部材１３及びカム部材１３と係合する連結杆４の係合部分などが覆され、カバーされることとなる。一方、必要時には、固定ねじ７ｃを外して、ヒンジ９を介して内側カバー部材７を回動させ、開放状態とする。
【００３９】
なお、スイッチ作動杆１５の作動片１５ａの近傍における取付板の延設部に、透過型の光電スイッチ、近接スイッチなどの非接触式の作動スイッチ２０が取り付けられ、シリンダ錠１４を左に回し、スイッチ作動杆１５が下に移動したとき、その端部の作動片１５ａを検知してリセット信号などの信号を出力する。
【００４０】
このように構成された施錠装置は、図１４に示すように、ゲーム機例えばスロットマシンの前面枠３１（前扉）の内側に基枠体１の取付板２を縦に固定して装着され、ゲーム機の本体枠３０側の対応位置には、受け金具３３が取り付けられる。
【００４１】
受け金具３３は、図１４のように、縦長の基板の上部と下部に、板状の係止部３４，３５を突設して形成され、係止部３４，３５は施錠装置側の鉤部材５、６の対向位置に配置される。さらに、受け金具３３の係止部３５の下側にはローラ受け３７が設けられる。また、施錠時にロック部材１２をロック状態として連結杆４の移動をロックするためのロック部３６が受け金具３３の係止部３５の上方に設けられている。
【００４２】
施錠するために、前面枠３１を本体枠３０に対し閉じると、先ず、鉤部材５，６の傾斜面が受け金具３３の係止部３４，３５の端部に接触して鉤部材５，６が下側に傾動し、鉤部材５，６の係止凹部が係止部３４，３５に係合したとき、図１４のように、鉤部材５，６が上側に傾動復帰して施錠状態となる。
【００４３】
このとき、受け金具３３側のロック部３６が支持板３の凹部３ｅ及びロック部材１２の係止凹部１２ａに進入し、ロック部材１２が軸支された連結杆４の解錠側への移動をロックする。これにより、ロック部材１２によるロックが解除されない限り連結杆４は移動できず、鉤部材５，６が解錠側に傾動できないため、不正解錠は防止される。
【００４４】
さらに、内側カバー部材７が基枠体１の内側でカム部材１３とその係合凸部が係合する部分を覆い、側面カバー部材８が分割支持板３ａの側面を覆い、さらに、側面カバー部材８の背面カバー部８ａが連結杆４やロック部材１２などの背面側を覆うため、本体枠３０と前面枠３１の隙間から針金などを差し込んで、カム部材１３、ロック部材１２、連結杆４などを動かそうとしても、カバー部材により遮断され、動かすことはできない。
【００４５】
すなわち、施錠装置は、スロットマシンの前面枠３１に向かって右側つまり自由端の内側に取り付けられ、前面枠３１の自由端と本体枠３０との隙間が、施錠装置の基枠体１の開口した反支持板側に近くなり、その隙間から針金などを挿入された場合、針金などの先端がカム部材１３、連結杆４の係合部に到達する可能性があるが、内側カバー部材７と側面カバー部材８のカバーによって、不正な針金などの先端をカム部材１３などに引っ掛けることはできず、不正解錠を防止することができる。
【００４６】
一方、施錠装置の保守点検時などに、シリンダ錠１４やカム部材１３の交換が必要な場合、図９のように、内側カバー部材７の上部の固定ねじ７ｃを外して、ヒンジ９の軸を支点に背面側に回動させると、カム部材１３の周辺部分が開放され、シリンダ錠１４やカム部材１３の交換を容易に行なうことができる。
【００４７】
前面枠３１を開く場合、図１５のように、所定のキーをシリンダ錠１４に挿入し、それを右に回すと、錠軸１４ａ、カム部材１３が同方向に回動し、カム部材１３の係合凸部１３ａと連結杆４の係合部４ｅとの係合により連結杆４がコイルばね１７の付勢力に抗して上方に移動し、これにより、図１３のように、上下の鉤部材５、６が下側に傾動して、本体枠３０側の受け金具３３の係止部３４，３５との係合を外し、解錠状態となる。なお、図１５では内部の機構の動きを解り易く示すために、内側カバー部材７を開放して図示しているが、実際の使用時には、内側カバー部材７は閉鎖され、シリンダ錠取付部２ａ近傍を覆っている。
【００４８】
一方、ゲーム機をリセットする場合、所定のキーをシリンダ錠１４に挿入し、それを左に回すと、図１６のように、錠軸１４ａ、カム部材１３が同方向に回動し、カム部材１３の係合凸部１３ｂとの係合により、スイッチ作動杆１５がコイルばね１７の付勢力に抗して下方に移動する。このとき、作動スイッチ２０がこのスイッチ作動杆１５の下端部の作動片１５ａを検知して信号を出力し、この信号がリセット信号として送出される。なお、図１６では内部の機構の動きを解り易く示すために、内側カバー部材７を開放して図示しているが、実際の使用時には、内側カバー部材７は閉鎖され、シリンダ錠取付部２ａ近傍を覆っている。
【００４９】
上述のように、基枠体１の内側に配設されたカム部材１３及びカム部材１３の回動時にカム部材１３が係合する連結杆４の係合部４ａなどを覆うように、内側カバー部材７が基枠体１の内側に開閉可能に取り付けられ、側面カバー部材８が分割支持板３ａの外側面から背面をカバーするから、前面枠３１の自由端側と本体枠３０の隙間から針金や薄板などの不正器具を差し込んで、カム部材１３、連結杆４、ロック部材１２などを動かそうとしても、カム部材１３や連結杆４の係合部分、ロック部材１２などが内側カバー部材７及び側面カバー部材８により覆われているため、針金などの不正器具をそこに掛けることができず、針金などの不正器具を使用した不正解錠を防止することができる。
【００５０】
また、施錠装置の保守点検時などに、シリンダ錠１４やカム部材１３の交換が必要な場合、図９のように、内側カバー部材７の上部の固定ねじ７ｃを外して、ヒンジ９の軸９ａを支点に背面側に回動させると、カム部材１３の周辺部分が開放され、シリンダ錠１４やカム部材１３の交換を容易に行なうことができる。また、ヒンジ９を介して開閉可能に枢支される内側カバー部材７は、作業後には簡単に閉じて、固定ねじ７ｃにより元の状態に固定することができる。
【００５１】
図１７〜図２０は他の実施形態のカバー部材を使用した例を示している。なお、上記実施形態で使用した施錠装置と同じ部分については、上記と同じ符号を図面に付してその説明は省略する。
【００５２】
このカバー部材は、上記と同様に、側面カバー部材２８と内側カバー部材２７とからなるが、内側カバー部材２７は側面カバー部材２８に対し上下に設けられた２箇所のヒンジ２９，２９を介して開閉可能となっている。ヒンジ２９、２９の軸は、支持板３の長手方向（縦方向）に沿った１本の軸線上に配置され、内側カバー部材２７側の枢支部２７ａ，２７ａと側面カバー部材２８の枢支部とはそのヒンジ２９，２９の軸を介して回動可能に連結される。ヒンジ２９，２９を介して開閉可能な内側カバー部材２７は、シリンダ錠取付部２ａの内側、つまりカム部材１３、連結杆４、ロック部材１２などの施錠機構の要部を覆う形状に成形される。
【００５３】
内側カバー部材２７は、図１７、図１８に示すように、カム部材１３とその近傍を覆う囲繞部２７ｄを有した形状に、合成樹脂或いは金属板により成形され、囲繞部２７ｄの縁部にシリンダ錠取付部２ａに当接する当接部２７ｅが設けられ、囲繞部２７ｄの支持板側縁部が背面側に延設された部分に背面当接部２７ｆが設けられる。さらに、内側カバー部材２７の上部には、固定孔付の固定座部２７ｂが設けられ、内側カバー部材２７が、取付板２のシリンダ錠取付部２ａの内側を覆って閉鎖されたとき、固定座部２７ｂがシリンダ錠１４のフランジ１４ｂの上部に当接し、その固定座部７ｂの固定孔に固定ねじをねじ込んで固定する。
【００５４】
側面カバー部材２８は、図１９、図２０に示すように、基枠体１の取付板２の正面に当接する正面当接部２８ｄと支持板２の側面に当接する側面当接部２８ｅを直角に曲折した形状に、合成樹脂材料または金属板により形成され、シリンダ錠取付部２ａ近傍の分割支持板３ａの外側面を主に覆う形態に形成される。側面カバー部材２８の上部に、係止部２８ｃが内側に曲折して設けられ、分割支持板３ａの外側面に取り付ける際、分割支持板３ａの縁部にその係止部２８ｃが係止される。この側面カバー部材２８は、固定ねじまたはリベットにより基枠体１の外側の定位置に固定される。
【００５５】
さらに、側面カバー部材２８の上部と下部に、ヒンジ２９、２９を構成する１対の枢支部が、上記内側カバー部材２７の枢支部２７ａ，２７ａを軸支するように設けられる。上下のヒンジ２９の枢支部は、図１９、図２０に示すように、支持板３に沿った１本の軸線上に位置し、その軸線の回りで内側カバー部材２７が開閉可能に支持される。内側カバー部材２７を開放した際は、図１８のように、シリンダ錠取付部２ａ近傍の内側が開放される。
【００５６】
内側カバー部材２７を閉じる場合、上下のヒンジ２９、２９を介して内側カバー部材２７を左右横方向に回動させる。内側カバー部材２７を回動させて閉じると、図１７に示すように、その当接部２７ｅが取付板２のシリンダ錠取付部２ａの内側に当接し、その固定座部２７ｂがシリンダ錠１４のフランジ１４ｂの固定孔の部分に当接する。この状態で、固定ねじを固定座部２７ｂからフランジ１４ｂの固定孔にねじ込んで締付固定する。このように、内側カバー部材２７は、上下のヒンジ２９、２９を介して回動するように閉じ、固定座部２７ｂの固定孔に固定ねじをねじ込み、簡単な操作で内側カバー部材２７を閉鎖することができる。
【００５７】
このような内側カバー部材２７は、図１７、図１８に示すように、基枠体１の内側でカム部材１３とその係合凸部が係合する部分を覆って取り付けられるため、本体枠３０と前面枠３１の隙間から針金などを差し込んで、カム部材１３などを動かそうとしても、動かすことはできない。つまり、施錠装置は、スロットマシンの前面枠３１に向かって右側つまり自由端の内側に取り付けられ、前面枠３１の自由端と本体枠３０との隙間が、施錠装置の基枠体１の開口した反支持板側に近くなり、その隙間から針金などを挿入された場合、針金などの先端がカム部材１３、連結杆４の係合部に到達する可能性があるが、内側カバー部材２７と側面カバー部材２８によって針金などの先端をカム部材１３などに引っ掛けることはできず、不正解錠を防止することができる。
【００５８】
一方、施錠装置の保守点検時などに、シリンダ錠１４やカム部材１３の交換が必要な場合、内側カバー部材２７は、その上部の固定座部２７ｂの固定ねじ２７ｃを外し、上部と下部のヒンジ２９，２９を介して図１８のように大きく開放される。このため、カム部材１３やシリンダ錠１４を取付板２から取り外すことができ、シリンダ錠１４やカム部材１３の交換を容易に行なうことができる。また、ヒンジ２９を介して開閉可能に枢支される内側カバー部材２７は、作業後には簡単に閉じて、固定ねじ２７ｃにより元の状態に固定することができる。
【００５９】
図２１〜図２３はさらに他の実施形態のカバー部材を使用した例を示している。なお、上記実施形態で使用した施錠装置と同じ部分については、上記と同じ符号を図面に付してその説明は省略する。
【００６０】
このカバー部材は、側面カバー部材４８と内側カバー部材４７とからなり、側面カバー部材４８と内側カバー部材４７は金属板または合成樹脂により成形され、特に、側面カバー部材４８は、接着カバー部４８ｄに対し嵌合部４８ａ，４８ｂが樹脂ヒンジ部４８ｃを介して一体に形成されている。側面カバー部材４８の側部と内側カバー部材４７の側部には、各々嵌合部４８ａ、４８ｂ及び嵌合部４７ａ，４７ｂが設けられ、内側カバー部材４７は、側面カバー部材４８に対し、嵌合部４７ａ，４７ｂと嵌合部４８ａ、４８ｂにより結合され、樹脂ヒンジ部４８ｃを介して開閉可能となっている。なお、この例では、樹脂ヒンジ部４８ｃは上部と下部に分離して形成され、上述の本体枠３０側のロック部３６が凹部３ｅに進入可能としているが、この凹部３ｅやロック部３６がない場合は、樹脂ヒンジ部を一体に形成することができる。
【００６１】
側面カバー部材４８は、図２３に示すように、接着カバー部４８ｄを板状に形成し、その接着カバー部４８ｄの背面側に、嵌合部４８ａ，４８ｂが樹脂ヒンジ部４８ｃを介して一体形成される。樹脂ヒンジ部４８ｃのヒンジ線は、縦方向（支持板３の長手方向）と平行に配置されるため、嵌合部４８ａ、４８ｂ及び嵌合部４７ａ，４７ｂを介して取り付けられる内側カバー部材４７はこの樹脂ヒンジ部４８ｃを介して左右横方向に開閉可能である。
【００６２】
また、接着カバー部４８ｄは接着剤或いは両面粘着テープにより分割支持板３ａの外側面に接着可能に形成され、嵌合部４８ａ，４８ｂは、内側カバー部材４７の嵌合部４７ａ，４７ｂに対し、密に嵌合して結合可能な形状に形成されている。嵌合形態としては、例えば、一方にアリ溝を形成し、他方にそのアリ溝に密に嵌合可能な台形凸部を突設して形成することができる。このような嵌合部４８ａ，４８ｂと嵌合部４７ａ，４７ｂを介して側面カバー部材４８の端部に連結される内側カバー部材４７は、接着カバー部４８ｄに対し樹脂ヒンジ部４８ｃを介して開閉可能となっている。
【００６３】
内側カバー部材４７は、上記と同様に、シリンダ錠取付部２ａの内側、つまりカム部材１３、連結杆４、ロック部材１２などの施錠機構の要部を覆う形状に成形され、図２１、図２２に示すように、カム部材１３とその近傍を覆う囲繞部４７ｄを有した形状に成形される。また、囲繞部４７ｄの縁部にシリンダ錠取付部２ａに当接する当接部４７ｅが設けられ、内側カバー部材４７の上部には、固定孔付の固定座部４７ｆが設けられ、内側カバー部材４７が、取付板２のシリンダ錠取付部２ａの内側を覆って閉鎖されたとき、固定座部４７ｆがシリンダ錠１４のフランジ１４ｂの上部に当接し、その固定座部４７ｂの固定孔に固定ねじをねじ込んで固定する。
【００６４】
このような側面カバー部材４８は、その接着カバー部４８ｄを、接着剤或いは両面粘着テープにより、図２３のように、分割支持板３ａの外側面の所定位置に接着して取り付けられ、内側カバー部材４７は、その嵌合部４７ａ，４７ｂを、側面カバー部材４８の嵌合部４８ａ，４８ｂに密に嵌合して結合される。
【００６５】
内側カバー部材４７を閉じる場合、樹脂ヒンジ部４８ｃを介して内側カバー部材４７を左右横方向に回動させる。内側カバー部材４７を回動させて閉じると、図２１に示すように、その当接部４７ｅが取付板２のシリンダ錠取付部２ａの内側に当接し、その固定座部４７ｆがシリンダ錠１４のフランジ１４ｂの固定孔の部分に当接する。この状態で、固定ねじ４７ｃを固定座部４７ｆからフランジ１４ｂの固定孔にねじ込んで締付固定する。このように、内側カバー部材２７は、樹脂ヒンジ部４８ｃを介して回動するように閉じ、固定座部４７ｆの固定孔に固定ねじ４７ｃをねじ込み、簡単な操作で内側カバー部材４７を閉鎖することができる。
【００６６】
このような内側カバー部材４７と側面カバー部材４８は、図２１に示すように、基枠体１の内側でカム部材１３とその係合凸部が係合する部分を覆って取り付けられるため、本体枠３０と前面枠３１の隙間から針金などを差し込んで、カム部材１３などを動かそうとしても、動かすことはできない。つまり、施錠装置は、スロットマシンの前面枠３１に向かって右側つまり自由端の内側に取り付けられ、前面枠３１の自由端と本体枠３０との隙間が、施錠装置の基枠体１の開口した反支持板側に近くなり、その隙間から針金などを挿入された場合、針金などの先端がカム部材１３、連結杆４の係合部に到達する可能性があるが、内側カバー部材２７と側面カバー部材２８によって針金などの先端をカム部材１３などに引っ掛けることはできず、不正解錠を防止することができる。
【００６７】
一方、施錠装置の保守点検時などに、シリンダ錠１４やカム部材１３の交換が必要な場合、内側カバー部材４７は、その上部の固定座部４７ｆの固定ねじ４７ｃを外し、樹脂ヒンジ部４８ｃを介して図２２のように大きく開放される。このため、カム部材１３やシリンダ錠１４を取付板２から取り外すことができ、シリンダ錠１４やカム部材１３の交換を容易に行なうことができる。また、樹脂ヒンジ部４８ｃを介して開閉可能に保持される内側カバー部材４７は、作業後には簡単に閉じて、固定ねじ４７ｃにより元の状態に固定することができる。
【００６８】
なお、上記樹脂ヒンジ部４８ｃは、側面カバー部材４８に設けたが、別の例として、樹脂ヒンジ部を内側カバー部材４７の嵌合部４７ａ、４７ｂの近傍に形成し、その樹脂ヒンジ部を介して内側カバー部材４７を開閉する構造とすることもできる。
【図面の簡単な説明】
【００６９】
【図１】本発明の一実施形態を示す施錠装置の右側面図である。
【図２】同装置の左側面図である。
【図３】同装置の背面図である。
【図４】同装置の分解右側面図である。
【図５】内側カバー部材の右側面図（ａ）、その左側面図（ｂ）、その背面図（ｃ）である。
【図６】側面カバー部材の正面図（ａ）、その右側面図（ｂ）、その背面図（ｃ）である。
【図７】内側カバー部材７を取り付けた部分の拡大斜視図である。
【図８】側面カバー部材８を取り付けた部分の拡大斜視図である。
【図９】内側カバー部材７を開いた状態の拡大斜視図である。
【図１０】内側カバー部材と側面カバー部材を外した状態のカム部材近傍の拡大斜視図である。
【図１１】側面カバー部材を外した状態のシリンダ錠近傍の拡大斜視図である。
【図１２】側面カバー部材を外した状態のシリンダ錠近傍の正面側からの拡大斜視図である。
【図１３】解錠動作時の右側面図である。
【図１４】使用状態を示す右側面図である。
【図１５】内側カバー部材を開いた状態での解錠動作時の部分拡大右側面図である。
【図１６】内側カバー部材を開いた状態でのリセット操作時の部分拡大右側面図である。
【図１７】他の実施形態の内側カバー部材近傍を示す部分拡大斜視図である。
【図１８】同内側カバー部材を開放した状態での部分拡大斜視図である。
【図１９】他の実施形態の側面カバー部材近傍を示す部分拡大斜視図である。
【図２０】同側面カバー部材近傍を示す正面側からの部分拡大斜視図である。
【図２１】更に他の実施形態の内側カバー部材近傍を示す部分拡大斜視図である。
【図２２】同内側カバー部材を開放した状態での部分拡大斜視図である。
【図２３】側面カバー部材近傍を示す背面側からの部分拡大斜視図である。
【符号の説明】
【００７０】
１      基枠体
２      取付板
２ａ    シリンダ錠取付部
３      支持板
３ａ    分割支持板
４      連結杆
４ａ    係合部
５、６  鉤部材
７      内側カバー部材
８      側面カバー部材
９      ヒンジ
１３    カム部材
１４    シリンダ錠
１４ａ  錠軸
１４ｂ  フランジ
２７    内側カバー部材
２８    側面カバー部材
２９    ヒンジ
３０    本体枠
３１    前面枠
３３    受け金具
３４    係止部
３５    係止部
３６    ロック部
【図１】
0004953958.tif 000002
【図２】
0004953958.tif 000003
【図３】
0004953958.tif 000004
【図４】
0004953958.tif 000005
【図５】
0004953958.tif 000006
【図６】
0004953958.tif 000007
【図７】
0004953958.tif 000008
【図８】
0004953958.tif 000009
【図９】
0004953958.tif 000010
【図１０】
0004953958.tif 000011
【図１１】
0004953958.tif 000012
【図１２】
0004953958.tif 000013
【図１３】
0004953958.tif 000014
【図１４】
0004953958.tif 000015
【図１５】
0004953958.tif 000016
【図１６】
0004953958.tif 000017
【図１７】
0004953958.tif 000018
【図１８】
0004953958.tif 000019
【図１９】
0004953958.tif 000020
【図２０】
0004953958.tif 000021
【図２１】
0004953958.tif 000022
【図２２】
0004953958.tif 000023
【図２３】
0004953958.tif 000024